(57)【要約】      （修正有）【課題】原料の使用量を削減し、使用操作上の問題や、生産コストについて改善し、簡単で実用的かつおしゃれに、丈夫でしかも幅広く使うことが可能な木製容器を提供する。【解決手段】１枚の薄板からなる木製容器であり、２つの第１の側辺部２０１が、容器底部１０１の両側に対称的に配置され、少なくとも１つの突出部と少なくとも１つの開口部とをそれぞれ有するか、少なくとも１つの突出部または少なくとも１つの開口部をそれぞれ有すると共に、２つの第２の側辺部２０２が、容器底部の他の両側に対称的に配置され、少なくとも１つの突出部と少なくとも１つの開口部とをそれぞれ有するか、少なくとも１つの突出部または少なくとも１つの開口部をそれぞれ有し、第１の側辺部が、さらに、側辺本体部２１１と側辺補助部２１２とに区画され、側辺本体部と側辺補助部とを折り畳んで重ね合わせることができることを特徴とする。【選択図】図１
0003208566.tif 000002
【実用新案登録請求の範囲】
【請求項１】
少なくとも、容器底部と、２つの第１の側辺部及び２つの第２の側辺部とを有する容器であって、
前記２つの第１の側辺部は、前記容器底部の両側に対称的に配置され、少なくとも１つの突出部と少なくとも１つの開口部とをそれぞれ有するか、少なくとも１つの突出部または少なくとも１つの開口部をそれぞれ有すると共に、
前記２つの第２の側辺部が、前記容器底部の他の両側に対称的に配置され、少なくとも１つの突出部と少なくとも１つの開口部とをそれぞれ有するか、少なくとも１つの突出部または少なくとも１つの開口部をそれぞれ有し、
前記第１の側辺部は、さらに、側辺本体部と側辺補助部とに区画され、該側辺本体部と側辺補助部とを折り畳んで重ね合わせることができることを特徴とする、一枚の薄板からなる木製容器。
【請求項２】
前記第２の側辺部が、さらに、側辺本体部と側辺補助部とに区画され、該側辺本体部と前記側辺補助部とを折り畳んで重ね合わせることが可能である、請求項１に記載された木製容器。
【請求項３】
前記木製容器が、容器蓋部をさらに含む、請求項１又は２に記載された木製容器。
【請求項４】
前記容器蓋部が、前記第２の側辺部に接続されている、請求項３に記載された木製容器。
【請求項５】
前記容器蓋部の両側に、さらに、２つの第３の側辺部が対称的に配置されている、請求項３又は４に記載された木製容器。
【請求項６】
さらに、第４の側辺部が、前記容器蓋部の底面側と対向する自由辺に配置されている、請求項３〜５の何れかに記載された木製容器。
【請求項７】
前記容器本体が、２つの第３の側辺部と第４の側辺部とを含み、
前記２つの第３の側辺部が前記容器蓋部の両側に対称的に配置され、
前記第４の側辺部が前記容器蓋部の底面側と対向する自由辺に配置されている、請求項３に記載された木製容器。
【請求項８】
前記容器本体が、前記第３の側辺部と前記第４の側辺部との間に少なくとも１つの突出部と少なくとも１つの開口部とをさらに有するか、少なくとも１つの突出部または少なくとも１つの開口部を有する、請求項７に記載された木製容器。
【請求項９】
前記木製容器が、さらに、前記一枚の薄板の少なくとも一面に結合されているフィルム層を含む、請求項１〜８のいずれか一項に記載された木製容器。
【請求項１０】
前記フィルム層が、紙、プラスチック材及びアルミ箔のうちの少なくとも一種またはその組合せからなる、請求項９に記載された木製容器。
【考案の詳細な説明】
【技術分野】
【０００１】
本考案は、木製容器に関し、特に、一枚の薄板からなる木製容器に関する。
【背景技術】
【０００２】
木製容器は、この１０数年乃至２０年に渡り、食品容器としてますます広く使われるようになってきた。このことは、環境保護、食品の安全や美しさなどの観点から、木製容器を選択・使用するユーザーの数が一層多くなってきた結果であり、台湾と日本を中心としたアジア諸国の容器製造商売市場において、徐々に他の素材を用いて製作する容器に取って代わる傾向を示している。
【０００３】
台湾地域では、木製容器は弁当ケースとして使用される物が多い。例えば、池上弁当株式会社が慣用した、「池上弁当ケース」と呼ばれる木製容器の使用量は、平均、毎月１０００万個以上の総個数にも達した。そして、この事実から見れば、木材から製造した木製容器は、実用性及び信頼性に優れたものであると言っても決して過言ではない。
【０００４】
但し、「池上弁当ケース」のような木製容器は、一般に、輪郭を折り畳み又は重なり合う可能な直角矩形状の外形を持つ容器であるので、保管空間の詰め、収納や運送の便利などの点から十分ではない。更に、使用上、丈夫で長持ちする具合、またはおしゃれの観点からは、なお満足できるものではないという問題点があった。
【０００５】
また、従来の木製容器は、保管空間または運送コストを、ある程度まで低減することを可能にしたとは言えるが、収納や使用上の便利性、長期保管の安定性及び美観などの点についてはいずれも満足できるものではない。このように、従来の問題点を更に改善すると共に、折り畳むことができる、弁当ケースとして使用される木製容器を開発することが望まれている。
【考案の概要】
【考案が解決しようとする課題】
【０００６】
これらの点に鑑みて、本考案は、従来の木製容器の欠点を改善すると共に、原料の使用量を削減し、使用操作上の問題や、生産コストについて改善し、簡単で実用的かつおしゃれに、丈夫でしかも幅広く使うことが可能な新規の木製容器を提供することを目的とする。
【課題を解決するための手段】
【０００７】
本考案に係る一実施態様は、一枚の薄板からなる容器本体であって、容器底部と、２つの第１の側辺部及び２つの第２の側辺部とを少なくとも有する容器本体を含み、前記２つの第１の側辺部は、前記容器底部の両側に対称的に配置され、少なくとも１つの突出部と少なくとも１つの開口部とをそれぞれ有するか、少なくとも１つの突出部または少なくとも１つの開口部をそれぞれ有し、並びに、前記２つの第２の側辺部は、前記容器底部の他の両側に対称的に配置され、少なくとも１つの突出部と少なくとも１つの開口部とをそれぞれ有するか、少なくとも１つの突出部または少なくとも１つの開口部をそれぞれ有するように構成されている木製容器を提供する。前記第１の側辺部は、さらに、側辺本体部と側辺補助部とに区画され、前記側辺本体部と前記側辺補助部とは、折り畳んで重ね合わせることができる。
【０００８】
本考案に係る他の実施態様は、さらに、前記木製容器の容器本体を連体蓋付き構造の外形にしたものである。すなわち、一枚の薄板からなる容器本体であって、容器底部と、２つの第１の側辺部、２つの第２の側辺部及び容器蓋部とを少なくとも有する容器本体を含み、前記２つの第１の側辺部は、前記容器底部の両側に対称的に配置され、少なくとも１つの突出部と少なくとも１つの開口部とをそれぞれ有するか、少なくとも１つの突出部または少なくとも１つの開口部をそれぞれ有し、並びに、前記２つの第２の側辺部は、前記容器底部の他の両側に対称的に配置され、少なくとも１つの突出部と少なくとも１つの開口部とをそれぞれ有するか、少なくとも１つの突出部または少なくとも１つの開口部をそれぞれ有する木製容器を提供する。前記第１の側辺部は、さらに、側辺本体部と側辺補助部とに区画され、前記側辺本体部と前記側辺補助部とは、折り畳んで重ね合わせることができる。
【０００９】
上述した本考案の態様及びその他の態様への理解を深めるため、以下に、実施例を挙げて、添付図面を参照しながら更に詳細に説明する。
【図面の簡単な説明】
【００１０】
【図１】図１は、本考案に係る、第１実施例の木製容器を示す展開図である。
【図２】図２は、本考案に係る第１実施例の、組み立てられた木製容器を示す模式図である。
【図３】図３は、本考案に係る第２実施例の木製容器を示す展開図である。
【図４】図４は、本考案に係る、第３実施例の連体蓋付き木製容器を示す展開図である。
【考案を実施するための形態】
【００１１】
以下に、本考案の様々な実施例について詳述するが、本考案の技術分野における当業者であれば、実施例を他の態様に変形したり、各実施例を組み合わせたりすることも容易であるため、本考案は、これらの実施例に限定されるものではない。
【００１２】
本考案に係る第１実施例は、一枚の薄板からなる容器本体１０を含む木製容器である。図１を参照し、本考案に係る第１実施例の木製容器について説明する。図1はこの木製容器を示す展開図である。ここで、実線は、容器本体１０の輪郭、破線は、折れ目を示す。この容器本体１０は、少なくとも、容器底部１０１と、２つの第１の側辺部２０１及び２つの第２の側辺部２０２とを含み、ここで、２つの第１の側辺部２０１が容器底部１０１の両側に対称的に配置され、少なくとも１つの突出部５０１と少なくとも１つの開口部６０１とをそれぞれ有するか、少なくとも１つの突出部５０１または少なくとも１つの開口部６０１をそれぞれ有し、並びに、２つの第２の側辺部２０２は、この容器底部１０１の他の両側に対称的に配置され、少なくとも１つの突出部５０１と少なくとも１つの開口部６０１とをそれぞれ有するか、少なくとも１つの突出部５０１または少なくとも１つの開口部６０１をそれぞれ有する。
【００１３】
また、図１に示すように、容器本体10では、さらに、補強型構造の外形によって強度が改善された。即ち、容器本体の第１の側辺部２０１が側辺本体部２１１と側辺補助部２１２とに区画され、側辺本体部２１１と側辺補助部２１２とを折り畳んで重ね合わせることによって、第１の側辺部２０１を補強する。図１に示す実施例のように、２つの第１の側辺部２０１には、いずれも側辺本体部２１１と側辺補助部２１２とが配置されている。また、側辺本体部２１１と側辺補助部２１２とを、内向きまたは外向きに折り畳んで重ね合わせることにより、第１の側辺部２０１を補強することができる。例えば、図１に示す紙面を基準面とし、側辺補助部２１２を、折れ目に沿って基準面の下方へ側辺本体部２１１と折り畳んで重ね合わせることができるが、折れ目に沿って基準面の上方へ側辺本体部２１１と折り畳んで重ね合わせることもできる。しかし、本考案は、これらの例に限定されるものではない。
【００１４】
また、この実施態様では、容器本体１０のうち２つの隣接する側辺部は、２つの隣接する側辺部のうち１つの側辺部の突出部及び折り畳んで重ね合われた側辺部が有する開口部を介して継ぎ合わせられるので、これによって、容器本体の立体形状が形成される。例えば、図１の第１の側辺部２０１の側辺本体部２１１と側辺補助部２１２を（前記のように、外向きまたは内向きに）折り畳んで重ね合わせた後、第２の側辺部２０２の折れ目に沿って折り畳み、突出部５０１を、例えば係合する継ぎ合わせ方式及び／または接着剤を用いて、開口部６０１を有する第１の側辺部２０１に継ぎ合わせることができる。そのため、容器本体１０は、異なる形で現われる。（１）前記の継ぎ合わせを行う前には、図１に示すように、容器本体１０は、一枚の薄板の形を呈する。（２）前記の継ぎ合わせを行った後、容器本体１０は、立体的な形で現れ、物品や食品を入れるために用いることが可能となる。
【００１５】
また、この実施態様では、木製容器は、さらに、薄板の少なくとも一方の面に結合された、フィルム層を含んでもよい。このフィルム層は、例えば、用紙とプラスチック材のうち、少なくとも一方またはその組合せを含む層である。しかし、本考案は、これに限定されておらず、例えば、このフィルム層は、アルミ箔または他の適切な金属を含むものであってよいし、用紙、プラスチック材及びアルミ箔のうち少なくとも一方またはその組合せを含むものであってもよい。さらに、フィルム層が薄板のいずれか一方の面または両面に設けられてもよい。また、他の例を挙げると、両面には異なる材質のフィルム層がさらに設置されてもよい。本考案の以下またはその他の実施例についても、木製容器が前記フィルム層を同様に有することができるが、本考案は、これらに限定されるものではない。
【００１６】
さらに、第２実施例のように、容器本体の第２の側辺部２０２が側辺本体部２２１と側辺補助部２２２とに区画され、側辺本体部２２１と側辺補助部２２２とを折り畳んで重ね合わせることにより、第２の側辺部２０２を補強してもよい。即ち、図３は、本考案に係る第２実施例の木製容器を示す展開図であり、ここで、実線は、容器本体２０の輪郭、破線は、折れ目を表す。図３に示すように、２つの第２の側辺部２０２には、いずれも側辺本体部２２１と側辺補助部２２２とが配置されている。また、側辺本体部２２１と側辺補助部２２２とは、内向きまたは外向きに折り畳んで重ね合わせることができ、これにより、第２の側辺部２０２を補強することができる。例えば、図３に示す紙面を基準面とし、側辺補助部２２２を、折れ目に沿って基準面の下方へ折り畳んで、側辺本体部２２１と重ね合わせることも、折れ目に沿って基準面の上方へ折り畳んで、側辺本体部２２１と重ね合わせることもできる。しかし、本考案は、これに限定されず、第１実施例における、第１の側辺部及び第２の側辺部２０２のうち、一方の側辺部のみに、第2実施例のように、側辺本体部及び側辺補助部を設けてもよく、さらに、突出部および開口部の形状等も特に限定されるものではない。
【００１７】
また、第１実施例では、容器本体の一部、例えば、各側辺部、突出部、容器底部などを、適宜、例えば矩形、台形、五角形以上の多角形などの形状にして適切に実施することもできる。そのため、前記実施例に限定されるものではない。さらに、突出部の形状も、特に限定されることはなく、例えば、扇形、ハート形、円形、矩形、棒形などの諸形状のいずれであっても良い。突出部は、開口部を有する側辺部に係合し易くなる形状としても良いが、側辺本体部と側辺補助部を重ね合わせたことによって形成されたスペースに内包され易い形状としても良い。なお、突出部の面積は、特に制限されることはない。例えば、側辺部に開口部を有する場合には、隣接する２つの側辺部同士間の継ぎ合わせ強度を向上させるために、突出部の面積を開口部より大きくしてもよい。また、例えば、前記各図では、突出部５０１の最外縁には、長尺状や凸状または扇形などの形状が延在されてもよく、側辺本体部２１１と側辺補助部２１２を折り畳んで重ね合わせた（内向き、外向きの何れでもよい）隙間に容易に挿入し係合されるようにしても良い。しかしながら、本考案は、これらの例に限定されるものではない。また、２つの隣接する側辺部は、係合方式に限定されず、さらに、係合及び接着剤の双方で継ぎ合わせてもよい。
【００１８】
また、本考案の第３実施例は、木製容器の容器本体を連体蓋付き構造にしたものである。図４は、本考案に係る第３実施例の木製容器を示す展開図であり、ここで、実線は、容器本体４の輪郭、破線は、折れ目を表す。図４に示す実施例と図１の実施例とは、主に、本実施例の容器本体３０が、さらに容器蓋部１０２を含む点で異なっている。実際に作製するに際しては、さらに容器蓋部１０２の少なくとも一方側に側辺部を配置してもよい。また、さらに、容器蓋部１０２の２つの隣接する側辺部（例えば、第３の側辺部２０３、第４の側辺部２０４）に突出部５０１及び開口部６０１を配置することにより、容器蓋部１０２の２つの隣接する側辺部が継ぎ合わせられるようにしてもよい。容器蓋部１０２が第２の側辺部２０２に接続されている。
【００１９】
また、この実施例でも、容器本体３０における容器底部１０１の２つの隣接する側辺部を、第１実施例の場合のように様々に継ぎ合わせることができるため、ここでは、繰り返し説明することはしない。そのため、容器本体３０も、異なる形で現われる。（１）前記の継ぎ合わせを行う前には、図４に示すように、容器本体３０は、一枚の薄板の形で存在する。（２）前記の継ぎ合わせを行った後の容器本体３０は、立体的な形状を呈し、物品や食品を入れるために用いることが可能である。
【００２０】
また、第３実施例のうち幾つかの態様では、さらに、２つの第１の側辺部２０１及び２つの第２の側辺部２０２の両者に配置された複数の容器蓋部で容器本体３０の蓋部全体を構成すればよい。例えば、容器蓋部１０２の代わりに、図４における上下の第２側辺部に第１の容器蓋部と第２の容器蓋部とがそれぞれ配置されるとともに、第１の容器蓋部と第２の容器蓋部とで容器本体３０の蓋部全体を構成するようになっていても良い。
【００２１】
また、他の実施例では、本考案のうちあらゆる隣接する側辺部（例えば２０１、２０２、２０３、２０４）は、いずれも、各種の突出部と開口部の配置または形状、例えば、図１、図３または図４のうち第１の側辺部２０１と第２の側辺部２０２との間における突出部５０１及び開口部６０１の配置、図４のうち第３の側辺部２０３と第４の側辺部２０４との間における突出部５０１及び開口部６０１の配置、あるいはその他の変化した配置（例えば、側辺部の両端に突出部５０１及び開口部６０１がそれぞれ設置されていること）にすることができる。しかも、同一の容器本体において、同じまたは異なる突出部及び開口部の配置方法を採用してもよい。そのため、本考案は、この配置に限定されるものではない。
【００２２】
また、前記実施例に用いる容器本体となる薄板では、前記容器底部、側辺部、接続部、開口部、側辺補助部、容器蓋部は、いずれも、木材繊維シートを完全には切断せず、破断や割れないように薄板を簡単に折りたたむことができる折れ目を切って構成される。しかしながら、本考案の容器本体の折れ目の形成は、この作製方法に限定されず、たとえば、型抜き、プレス、刃による切断など、いかなる方法で形成されてもよい。
【００２３】
また、実製作の実施例では、さらに、隣接する平行な折れ目を繰り返して作成することにより、折り畳みに役立てることが可能である。例えば、図１、図３、図４では、容器底部と長手の側辺部との間は、２本（または２本以上）の隣接かつ平行な（または平行に近似する）折れ目を有することにより、容器底部に対する第２の側辺部の折り畳みに役立てることが可能である。２つの平行な折れ目の幅は、例えば、使用可能な薄板の厚さであってよい。その目的は、容器が折り畳まれることが容易になり、かつ箱辺の板と箱の底部も、折り畳むことにより、破裂が容易には発生しないようにするためである。しかし、本考案の実施方法は、これに限定されるものではない。
【００２４】
前記したように、本考案は、従来における一部の木製容器の場合のような、外形の不具合に起因する、容器が丈夫でなく、更には美しくないという欠点や、重なり合わせることができないために生じる、木製容器の高いパッケージコスト、あるいは、広い倉庫空間を占めるなどの問題を改善することができる。本考案によれば、幅広く使われ、大量生産可能で、丈夫かつおしゃれな、使い捨て型の木製容器を提供することができる。
【００２５】
さらに、前記実施例によれば、増加された側辺補助部は、容器の側辺部の厚さを増加させ、４つの側辺部との係合を強化するので、木製容器の構造をより丈夫にし、贈答用ケースに適用することができる。前記実施例によれば、本考案の木製容器は、蓋部のある容器であってもよいので、ユーザーに、より多くの選択枝を提供することが可能である。
【００２６】
以上、本考案について詳述したが、本考案は、これらの実施例に限定されるものではない。当業者であれば、本考案に様々な変更や修飾を加えることは当然可能であり、例えば、前記実施例に示された各技術的内容を組み合わせ、または変更して新しい実施態様の木製容器を製造することもできるが、これらの製品も、本考案の精神及び範囲を逸脱しない限り、もちろん本考案の範囲に包含される。
【産業上の利用可能性】
【００２７】
本考案の木製容器は、簡単な方法で継ぎ合わせて成形することができるため、紙類のパッケージ容器のように簡単に作製することができる上、使用も非常に容易である。さらに一体化した構造かつ多様な外形を延在させ変化させることにより、パッケージに係る複数の異なる商品上の要求を満足させることができる。さらに、環境保護のニーズに合うだけでなく、材料を無駄にせず、作製も簡便であるので、パッケージ製品のコストを下げることができる。また、本考案の木製容器は運送が容易である上、倉庫に保管することも容易である。そのため、倉庫の保管空間や運送コストを減らすとともに、美しく、丈夫で耐用性にも優れるので、本考案によって、木製容器のさらなる普及や応用が促進される。
【符号の説明】
【００２８】
１０、２０、３０容器本体
１０１容器底部
１０２容器蓋部
２０１第１の側辺部
２０２第２の側辺部
２０３第３の側辺部
２０４第４の側辺部
５０１突出部
６０１開口部
２１１、２２１側辺本体部
２１２、２２２側辺補助部
【図１】
0003208566.tif 000003
【図２】
0003208566.tif 000004
【図３】
0003208566.tif 000005
【図４】
0003208566.tif 000006